【手続補正書】
【提出日】平成25年12月9日(2013.12.9)
【手続補正１】
【補正対象書類名】特許請求の範囲
【補正対象項目名】全文
【補正方法】変更
【補正の内容】
【特許請求の範囲】
【請求項１】
視聴履歴をサーバに格納することと、
前記サーバを用いて、前記視聴履歴に基づいてユーザがまだ見ていないメディアアセットを識別することと、
表示デバイス上に表示するために、ユーザがナビゲート可能なメディアアセット識別子を生成することと、
まだ見られていない前記識別されたメディアアセットに基づいて、前記ユーザがナビゲート可能なメディアアセット識別子に関連付けられた前記メディアアセットが前記ユーザによってまだ見られていないことを自動的に示すことと
を含む、方法。
【請求項２】
前記ユーザがナビゲート可能なメディアアセット識別子は、推奨されたメディアアセットのメディアアセット識別子である、請求項１に記載の方法。
【請求項３】
前記推奨されたメディアアセットの前記ユーザがナビゲート可能なメディアアセット識別子は、前記ユーザのユーザ選好プロフィールを満たすメディアアセットのメディアアセット識別子である、請求項２に記載の方法。
【請求項４】
前記視聴履歴は、前記ユーザが所定の時間よりも長い時間見たメディアアセットを含み、
前記ユーザがまだ見ていない前記メディアアセットは、前記ユーザが前記所定の時間よりも長い時間すでに見た前記メディアアセットに部分的に基づいて識別される、請求項１に記載の方法。
【請求項５】
前記メディアアセット識別子を視覚的に識別することをさらに含む、請求項１に記載の方法。
【請求項６】
前記メディアアセット識別子は、前記メディアアセット識別子の表示特性を変更することによって視覚的に識別される、請求項５に記載の方法。
【請求項７】
前記メディアアセット識別子は、前記ユーザがすでに見たシリーズ中のまだ見られていないエピソードのメディアアセット識別子である、請求項１に記載の方法。
【請求項８】
メディアアセット識別子データベースを用いて、前記ユーザが前記メディアアセット識別子に関連付けられたメディアアセットをすでに見たかどうかを決定することをさらに含む、請求項１に記載の方法。
【請求項９】
前記視聴履歴は、データベースに格納される、請求項１に記載の方法。
【請求項１０】
前記視聴履歴は、前記ユーザの双方向番組ガイドとのモニタリングされた相互操作を含み、前記モニタリングされた相互操作は、前記ユーザが、すでに見た、注文した、録画を予定した、リマインダを予定した、または検索したメディアアセットとの相互操作、または、前記ユーザが前記メディアアセットと相互操作する時間の長さを含む、請求項１に記載の方法。
【請求項１１】
視聴履歴をサーバに格納する手段と、
前記サーバを用いて、前記視聴履歴に基づいてユーザがまだ見ていないメディアアセットを識別する手段と、
表示デバイス上に表示するために、ユーザがナビゲート可能なメディアアセット識別子を生成する手段と、
まだ見られていない前記識別されたメディアアセットに基づいて、前記ユーザがナビゲート可能なメディアアセット識別子に関連付けられた前記メディアアセットが前記ユーザによってまだ見られていないことを自動的に示す手段と
を含む、システム。
【請求項１２】
前記ユーザがナビゲート可能なメディアアセット識別子は、推奨されたメディアアセットのメディアアセット識別子である、請求項１１に記載のシステム。
【請求項１３】
前記推奨されたメディアアセットの前記ユーザがナビゲート可能なメディアアセット識別子は、前記ユーザのユーザ選好プロフィールを満たすメディアアセットのメディアアセット識別子を含む、請求項１２に記載のシステム。
【請求項１４】
前記視聴履歴は、前記ユーザが所定の時間よりも長い時間見たメディアアセットを含み、
前記ユーザがまだ見ていないメディアアセットは、前記ユーザが、前記所定の時間よりも長い時間すでに見たメディアアセットに部分的に基づいて識別される、請求項１１に記載のシステム。
【請求項１５】
前記メディアアセット識別子を視覚的に識別することをさらに含む、請求項１１に記載のシステム。
【請求項１６】
前記視覚的に識別する手段は、前記メディアアセット識別子の表示特性を変更する手段をさらに含む、請求項１５に記載のシステム。
【請求項１７】
前記ユーザがナビゲート可能なメディアアセット識別子は、前記ユーザがすでに見たシリーズ中のまだ見られていないエピソードのメディアアセット識別子である、請求項１１に記載のシステム。
【請求項１８】
前記ユーザが前記メディアアセット識別子に関連付けられたメディアアセットをすでに見たかどうかを決定するためのメディアアセット識別子データベースをさらに含む、請求項１１に記載のシステム。
【請求項１９】
データベースをさらに含み、前記視聴履歴は、前記データベースに格納される、請求項１１に記載のシステム。
【請求項２０】
前記視聴履歴は、前記ユーザの双方向番組ガイドとのモニタリングされた相互操作を含み、前記モニタリングされた相互操作は、前記ユーザが、すでに見た、注文した、録画を予定した、リマインダを予定した、または検索したメディアアセットとの相互操作、または、前記ユーザが前記メディアアセットと相互操作する時間の長さを含む、請求項１１に記載のシステム。
【請求項２１】
視聴履歴をサーバに格納することと、
前記サーバを用いて、前記視聴履歴に基づいてまだ見られていない一組のメディアアセットを決定することと、
前記サーバを用いて、ユーザ選好プロフィールをまだ見られていない前記一組のメディアアセットに適用することにより、個人用視聴推奨を生成することと、
前記サーバを用いて、前記個人用視聴推奨をユーザに表示するために送信することと
を含む、方法。
【請求項２２】
前記格納された視聴履歴は、
前記ユーザがすでに見たメディアアセットと、
前記ユーザがすでにリマインダを予定したメディアアセットと、
前記ユーザがすでに録画を予定したメディアアセットと、
前記ユーザがすでに検索したメディアアセットと、
前記ユーザがすでに注文したメディアアセットと
のうちの少なくとも１つに対するメディアアセット識別子を含む、請求項２１に記載の方法。
【請求項２３】
前記格納された視聴履歴は、メディアアセット識別子と、前記メディアアセット識別子に関連付けられたメディアアセットカテゴリおよびメディアアセットの格付けとを含む、請求項２１に記載の方法。
【請求項２４】
前記ユーザ選好プロフィールは、ジャンルおよび格付けのうちの少なくとも１つに対するユーザが選択または定義した所望度レベルを含む基準を含む、請求項２１に記載の方法。
【請求項２５】
視聴履歴を格納する手段と、
前記視聴履歴に基づいて、ユーザによってまだ見られていない一組のメディアアセットを決定する手段と、
ユーザ選好プロフィールをまだ見られていない前記一組のメディアアセットに適用することにより、個人用視聴推奨を生成する手段と、
前記個人用視聴推奨を通信経路を介して前記ユーザのユーザ機器に送信する手段と
を含む、システム。
【請求項２６】
前記格納された視聴履歴は、
前記ユーザがすでに見たメディアアセットと、
前記ユーザがすでにリマインダを予定したメディアアセットと、
前記ユーザがすでに録画を予定したメディアアセットと、
前記ユーザがすでに検索したメディアアセットと、
前記ユーザがすでに注文したメディアアセットと
のうちの少なくとも１つを含む、請求項２５に記載のシステム。
【請求項２７】
前記格納された視聴履歴は、メディアアセット識別子と、前記メディアアセット識別子に関連付けられたカテゴリおよび格付けとを含む、請求項２５に記載のシステム。
【請求項２８】
前記ユーザ選好プロフィールは、ジャンルおよび格付けのうちの少なくとも１つに対するユーザが選択または定義した所望度レベルを含む基準を含む、請求項２５に記載のシステム。